(57)【要約】      （修正有）【課題】賞品付きゲームにおける賞品の写真をプリントしたパネルの見栄えの良い陳列を実現できるようにする。【解決手段】ひな壇セット１００は、上段パーツ１１、下段パーツ１２、及び支柱パーツ１３の３つのパーツからなる。上段パーツ１１、下段パーツ１２、支柱パーツ１３には、各々を折り曲げるための罫線、他のパーツと連結するためのフック部、凹部、弧状突起部が設けられている。【選択図】図１
2015013048.tif 000002
【特許請求の範囲】
【請求項１】
厚み方向に対向する表面及び裏面と、上下方向に対向する上端面及び下端面と、左右方向に対向する左右２つの側端面とに囲まれた薄板状をなし、当該上段パーツにおける前記上端面から第１の幅だけ前記下端面側に離れた位置に第１の罫線が設けられており、前記第１の罫線から第２の幅だけ前記下端面側に離れた位置であって前記下端面から第３の幅だけ前記上端面側に離れた位置に第２の罫線が設けられており、前記上端面及び前記第１の罫線間に第１及び第２の２つのスリットが設けられており、前記第２の罫線と前記下端面との間に第３及び第４の２つのスリットが設けられている段ボール製の上段パーツと、
厚み方向に対向する表面及び裏面と、上下方向に対向する上端面及び下端面と、左右方向に対向する左右２つの側端面とに囲まれた薄板状をなし、当該下段パーツの前記下端面の中央における前記２つのスリット間の左右幅よりも大きな左右幅を持った部分が舌部として前記上端面と反対側に向かって凸んでおり、前記上端面から第４の幅だけ下端面側に離れた位置に第３の罫線が設けられており、前記第３の罫線から前記第２の幅だけ下端面側に離れた位置に第４の罫線が設けられており、前記第４の罫線から前記第３の幅だけ下端面側に離れた位置に第５の罫線が設けられており、前記第５の罫線から前記第４の幅だけ下端面側に離れた位置に第６の罫線が設けられており、前記第６の罫線から前記第２の幅だけ前記下端面側に離れた位置であって前記下端面から前記第１の幅だけ前記上端面側に離れた位置に第７の罫線が設けられており、前記舌部の基端に第８の罫線が設けられており、前記舌部に第５及び第６の２つのスリットが設けられている段ボール製の下段パーツと、
厚み方向に対向する表面及び裏面と、上下方向に対向する上端面及び下端面と、左右方向に対向する左右２つの側端面であって、前記下端面の縁から前記第１の幅だけ前記上端面の側の第１の角部において当該左右２つの側端面の中心線の側に屈曲し、前記第１の角部から前記第２の幅だけ前記中心線の側の第２の角部において前記上端面の側に屈曲し、前記第２の角部から前記第１の幅だけ前記上端面の側の第３の角部において前記中心線の側に屈曲し、前記第３の角部から前記第２の幅だけ前記中心線の側の第４の角部において前記上端面の側に屈曲し、前記第４の角部から前記第１の幅だけ前記上端面の側の第５の角部において前記中心線の側に屈曲し、前記第５の角部から前記第２の幅だけ前記中心線の側の第６の角部において前記上端面の側に屈曲する階段状をなす左右２つの側端面とに囲まれた薄板状をなし、当該支柱パーツの前記左右２つの側端面の各々における前記第６の角部と前記下端面との間に第９及び第１０の罫線が設けられており、前記左右２つの側端面の各々における前記上端面と前記第６の角部との間に前記中心線の側と反対側に凸んだ第１及び第２の２つのフック部が設けられており、前記左右２つの側端面の各々における第５の角部と第４の角部の間に前記中心線と反対側に凸んだ第３及び第４の２つのフック部が設けられており、前記左右２つの側端面の各々における前記第４の角部に前記下端面の側に向かって凹んだ第１及び第２の２つの凹部が設けられおり、前記左右の側端面の各々における前記第２の角部に前記下端面の側に向かって凹んだ第３及び第４の２つの凹部が設けられおり、前記下端面における前記左右の２つの側端面の各々との交差位置よりも前記中心線の側に離れた位置には前記交差位置を中心とする弧に沿って切り欠かれた第１及び第２の弧状切欠き部が設けられている段ボール製の支柱パーツと
を具備し、
前記支柱パーツを前記第９及び第１０の罫線において表面側に折り曲げる行程と、
前記下段パーツを前記第５の罫線において表面側に折り曲げ、この折り曲げ部分を前記支柱パーツの前記第３及び第４の凹部に差し込み、前記下段パーツにおける前記第６及び第７の罫線間の部分により前記支柱パーツの側端面における前記第２及び第１の角部間の部分を覆い、前記下段パーツにおける前記第７の罫線と前記下端面間の部分により前記支柱パーツにおける前記第１の角部と前記下端面の間の部分を覆い、前記下段パーツの前記舌部を前記第８の罫線において前記支柱パーツの下端面側に折り曲げ、前記舌部の前記第５のスリット内に前記第１の弧状切欠部の内側の第１の弧状突起部を嵌め込むとともに前記第６のスリット内に前記第２の弧状切欠部の内側の第２の弧状突起部を嵌め込み、前記下段パーツを前記第４の罫線及び前記第３の罫線において裏面側に折り曲げ、前記下段パーツの上端面を前記支柱パーツの前記第１及び第２の凹部に差し込む行程と、
前記上段パーツの下端面を前記支柱パーツの前記第１及び第２の凹部に差し込み、前記上段パーツの前記第３及び第４のスリット内に前記支柱パーツの前記第３及び第４のフック部を嵌め込み、前記上段パーツにおける前記第１及び第２の罫線間の部分により前記支柱パーツにおける前記第５の及び第６の角部間の部分を覆い、前記上段パーツの前記第１及び第２のスリット内に前記支柱パーツの前記第１及び第２の凸部を嵌め込む行程と
を含む組立により、前記上段パーツの表面における前記第１及び第２の罫線間の部分、前記下段パーツの表面における前記第３及び第４の罫線間の部分、及び前記下段パーツの表面における前記第６及び第７の罫線間の部分をパネル載置面とするひな壇が形作られるように構成されている
ことを特徴とするパネル展示用段ボールひな壇セット。
【請求項２】
前記上段パーツの前記第１及び第２の罫線間には、間隔をあけて並ぶ複数個の埋設片が設けられており、前記下段パーツの前記第３及び第４の罫線間には、間隔をあけて並ぶ複数個の埋設片が設けられており、前記下段パーツの前記第６及び第７の罫線間には、間隔をあけて並ぶ複数個の埋設片が設けられており、
前記埋設片を起立させ、起立させた埋設片にパネルの下端部を係止するようにしてパネルを前記パネル載置面に立て掛けるように構成されていることを特徴とする請求項１に記載のパネル展示用段ボールひな壇セット。
【請求項３】
前記第１の弧状突起部における前記第１の弧状切欠部に臨む周縁の上端及び前記第２の弧状突起部における前記第２の弧状切欠部に臨む周縁の上端には、前記支柱パーツの側端面と下端面の交差位置に向かって凹んだ凹部が設けられていることを特徴とする請求項２に記載のパネル展示用段ボールひな壇セット。
【発明の詳細な説明】
【技術分野】
【０００１】
この発明は、パネルの展示を好適化する技術に関する。
技術に関する。
【背景技術】
【０００２】
本願発明者らは、結婚式の２次会などにおける賞品付きゲーム（例えば、ビンゴゲーム）の支援ビジネスの展開を検討している。図１６は、このビジネスの概要を示す図である。このビジネスでは、商品付きゲームの主催者である顧客は、本願発明者らを含むサイト運営者のサイトにアクセスする。このサイトでは、本願発明者らが取り扱う複数種類の商品の中から賞品付きゲームの各等（１等、２等、３等…）の当選者の賞品とするものを選択できるようになっている。顧客は、このサイトにおいて、自身の個人情報（氏名、住所、電話番号など）を入力するともに、自身が主催するゲームの各等の賞品を選択する申込手続きを行う。この手続きが行われると、サイト運営者は、各等の賞品の写真を各等の等級に応じた大きさのパネル（例えば、１等であればＡ３サイズ、２等であればＡ４サイズ、３等であればＡ５サイズ）にプリントしたものと各賞品の配送申込葉書入りの賞品目録ＬＳＴとを梱包した宅配便ＰＣＫを顧客の住所に宛てて発送する。顧客は、この宅配便ＰＣＫ内のパネルと賞品目録ＬＳＴを２次会会場に持ち込み、パネルを会場内に陳列して賞品付きゲームを執り行い、各賞品の当選者に賞品目録ＬＳＴを渡す。各当選者は、賞品目録ＬＳＴ内の配送申込葉書ＣＲＤに各々の氏名や住所を記入して投函する。サイト運営者は、当選者により投函された配送申込葉書ＣＲＤが届くと、葉書ＣＲＤに記されている当選者の住所に宛てて該当の賞品ＰＲＺを発送する。このビジネスによると、２次会の会場に現物を持ち込むことが困難な品（例えば、生鮮食料品）を賞品とすることができる。このため、本願発明者らは、このビジネスが、賞品付きゲームの興趣性をより高めたい、というニーズにマッチした魅力あるものになるとの見通しを立てている。
【先行技術文献】
【特許文献】
【０００３】
【特許文献１】特開平６−３２１２４１号公報
【発明の概要】
【発明が解決しようとする課題】
【０００４】
本願発明者らが企画するビジネスでは、顧客である賞品付きゲームの主催者が各賞品のパネルを参加者の前に見栄えよく陳列できるか否かがゲームの盛り上がりの良否に影響する。しかしながら、結婚式の２次会等の会場の中には、会場の下見をすることができないところもある。このような会場で２次会を取り仕切る者は、賞品付きゲームを始める時点でパネルの配置等を考えなければならず、出席者の全員の注意を惹くような見栄えのよい陳列を行い難いという問題があった。
【０００５】
本発明は、このような課題に鑑みてなされたものであり、賞品付きゲームにおける賞品の写真をプリントしたパネルの見栄えの良い陳列を実現できる技術的手段を提供することを目的とする。
【課題を解決するための手段】
【０００６】
上記課題を解決するため、本発明は、厚み方向に対向する表面及び裏面と、上下方向に対向する上端面及び下端面と、左右方向に対向する左右２つの側端面とに囲まれた薄板状をなし、前記上端面から第１の幅だけ前記下端面側に離れた位置に第１の罫線が設けられており、前記第１の罫線から第２の幅だけ前記下端面側に離れた位置であって前記下端面から第３の幅だけ前記上端面側に離れた位置に第２の罫線が設けられており、前記上端面及び前記第１の罫線間に第１及び第２の２つのスリットが設けられており、前記第２の罫線と前記下端面との間に第３及び第４の２つのスリットが設けられている段ボール製の上段パーツと、厚み方向に対向する表面及び裏面と、上下方向に対向する上端面及び下端面と、左右方向に対向する左右２つの側端面とに囲まれた薄板状をなし、前記下端面の中央における前記２つのスリット間の左右幅よりも大きな左右幅を持った部分が舌部として前記上端面と反対側に向かって凸んでおり、前記上端面から第４の幅だけ下端面側に離れた位置に第３の罫線が設けられており、前記第３の罫線から前記第２の幅だけ下端面側に離れた位置に第４の罫線が設けられており、前記第４の罫線から前記第３の幅だけ下端面側に離れた位置に第５の罫線が設けられており、前記第５の罫線から前記第４の幅だけ下端面側に離れた位置に第６の罫線が設けられており、前記第６の罫線から前記第２の幅だけ前記下端面側に離れた位置であって前記下端面から前記第１の幅だけ前記上端面側に離れた位置に第７の罫線が設けられており、前記舌部の基端に第８の罫線が設けられており、前記舌部に第５及び第６の２つのスリットが設けられている段ボール製の下段パーツと、厚み方向に対向する表面及び裏面と、上下方向に対向する上端面及び下端面と、左右方向に対向する左右２つの側端面であって、前記下端面の縁から前記第１の幅だけ前記上端面の側の第１の角部において当該左右２つの側端面の中心線の側に屈曲し、前記第１の角部から前記第２の幅だけ前記中心線の側の第２の角部において前記上端面の側に屈曲し、前記第２の角部から前記第１の幅だけ前記上端面の側の第３の角部において前記中心線の側に屈曲し、前記第３の角部から前記第２の幅だけ前記中心線の側の第４の角部において前記上端面の側に屈曲し、前記第４の角部から前記第１の幅だけ前記上端面の側の第５の角部において前記中心線の側に屈曲し、前記第５の角部から前記第２の幅だけ前記中心線の側の第６の角部において前記上端面の側に屈曲する階段状をなす左右２つの側端面とに囲まれた薄板状をなし、前記左右２つの側端面の各々における前記第６の角部と前記下端面との間に第９及び第１０の罫線が設けられており、前記左右２つの側端面の各々における前記上端面と前記第６の角部との間に前記中心線の側と反対側に凸んだ第１及び第２の２つのフック部が設けられており、前記左右２つの側端面の各々における第５の角部と第４の角部の間に前記中心線と反対側に凸んだ第３及び第４の２つのフック部が設けられており、前記左右２つの側端面の各々における前記第４の角部に前記下端面の側に向かって凹んだ第１及び第２の２つの凹部が設けられおり、前記左右の側端面の各々における前記第２の角部に前記下端面の側に向かって凹んだ第３及び第４の２つの凹部が設けられおり、前記下端面における前記左右の２つの側端面の各々との交差位置よりも前記中心線の側に離れた位置には前記交差位置を中心とする弧に沿って切り欠かれた第１及び第２の弧状切欠き部が設けられている段ボール製の支柱パーツとを具備し、前記支柱パーツを前記第９及び第１０の罫線において表面側に折り曲げる行程と、前記下段パーツを前記第５の罫線において表面側に折り曲げ、この折り曲げ部分を前記支柱パーツの前記第３及び第４の凹部に差し込み、前記下段パーツにおける前記第６及び第７の罫線間の部分により前記支柱パーツの側端面における前記第２及び第１の角部間の部分を覆い、前記下段パーツにおける前記第７の罫線と前記下端面間の部分により前記支柱パーツにおける前記第１の角部と前記下端面の間の部分を覆い、前記下段パーツの前記舌部を前記第８の罫線において前記支柱パーツの下端面側に折り曲げ、前記舌部の前記第５のスリット内に前記第１の弧状切欠部の内側の第１の弧状突起部を嵌め込むとともに前記第６のスリット内に前記第２の弧状切欠部の内側の第２の弧状突起部を嵌め込み、前記下段パーツを前記第４の罫線及び前記第３の罫線において裏面側に折り曲げ、前記下段パーツの上端面を前記支柱パーツの前記第１及び第２の凹部に差し込む行程と、前記上段パーツの下端面を前記支柱パーツの前記第１及び第２の凹部に差し込み、前記上段パーツの前記第３及び第４のスリット内に前記支柱パーツの前記第３及び第４のフック部を嵌め込み、前記上段パーツにおける前記第１及び第２の罫線間の部分により前記支柱パーツにおける前記第５の及び第６の角部間の部分を覆い、前記上段パーツの前記第１及び第２のスリット内に前記支柱パーツの前記第１及び第２の凸部を嵌め込む行程とを含む組立により、前記上段パーツの表面における前記第１及び第２の罫線間の部分、前記下段パーツの表面における前記第３及び第４の罫線間の部分、及び前記下段パーツの表面における前記第６及び第７の罫線間の部分をパネル載置面とするひな壇が形作られるように構成されている。
【０００７】
本発明では、ひな壇セットは、上段パーツ、下段パーツ、及び支柱パーツの３つのパーツからなる。そして、上段パーツ、下段パーツ、支柱パーツには、各々を折り曲げるための罫線、他のパーツと連結するためのフック部、スリット、凹部、弧状突起部が設けられている。よって、本発明によると、ひな壇へ組み立て方法を直感的に理解してひな壇の組み立てを手際よく行い、ひな壇のパネル載置面にパネルを見栄えよく陳列することができる。
【０００８】
ここで、本発明に関わる技術を開示した文献として、特許文献１がある。この文献１に開示された方法は、含浸処理済みの第１の部材の折り曲げ線に沿って折り曲げ→布製粘着テープ等による固定→含浸処理済みの第２の部材の重ね合わせ→布製粘着テープ等による第１及び第２の部材の組立てという行程を経た加工により強化段ボール製パレットを製造ずるものであり、本発明とは内容を異にするものである。
【図面の簡単な説明】
【０００９】
【図１】本発明の一実施形態であるパネル展示用段ボールひな壇セットの全体構成を示す図である。
【図２】同ひな壇セットを組み立てて得られるひな壇の斜視図である。
【図３】同ひな壇セットを組み立てて得られるひな壇の斜視図である。
【図４】同ひな壇セットを組み立てて得られるひな壇の右側面図である。
【図５】同ひな壇セットの上段パーツを示す図である。
【図６】同ひな壇セットの下段パーツを示す図である。
【図７】同ひな壇セットの支柱パーツを示す図である。
【図８】同ひな壇セットの組み立ての行程を示す図である。
【図９】同ひな壇セットの組み立ての行程を示す図である。
【図１０】同ひな壇セットの組み立ての行程を示す図である。
【図１１】同ひな壇セットの組み立ての行程を示す図である。
【図１２】同ひな壇セットの梱包状態を示す図である。
【図１３】同ひな壇セットの組み立ての行程を示す図である。
【図１４】同ひな壇セットの組み立ての行程を示す図である。
【図１５】同ひな壇セットの梱包状態を示す図である。
【図１６】本願発明者らが企画するビジネスの概要を示す図である。
【発明を実施するための形態】
【００１０】
以下、図面を参照しつつ本発明の実施形態について説明する。図１は、本発明の一実施形態であるパネル展示用段ボールひな壇セット１００の全体構成を示す図である。このひな壇セット１００は、背景技術の項で述べた賞品付きゲーム支援ビジネス（図１６）において宅配便ＰＣＫとして顧客に送られるものである。図１に示すように、この雛壇セット１００は、上段パーツ１１、下段パーツ１２、及び支柱パーツ１３を備える。この雛壇セット１００の上段パーツ１１、下段パーツ１２、及び支柱パーツ１３は、段ボールを加工機により裁断して得られる。この雛壇セット１００の上段パーツ１１、下段パーツ１２、及び支柱パーツ１３は、賞品付きゲームの会場において３段または２段のひな壇として組み立てられ、ひな壇のパネル載置面にパネルが陳列される。
【００１１】
図２（Ａ）は、３段のひな壇１００’（３）の斜視図である。図２（Ｂ）は、図２（Ａ）のひな壇１００’（３）の３つのパネル載置面２０−１、２０−２、２０−３にパネルＰＮＬを載せた状態を示す図である。図４（Ａ）は、図２（Ａ）を矢印Ａ方向から見た図（右側面図）である。図３（Ａ）は、２段のひな壇ひな壇１００’（２）の斜視図である。図３（Ｂ）は、図３（Ａ）のひな壇１００’（２）の２つのパネル載置面２０−１、２０−２にパネルＰＮＬを載せた状態を示す図である。図４（Ｂ）は、図３（Ａ）を矢印Ｂ方向から見た図（右側面図）である。
【００１２】
上段パーツ１１、下段パーツ１２、及び支柱パーツ１３の構成の詳細は次の通りである。図５に示すように、上段パーツ１１は、左右幅Ｗ５１（Ｗ５１＝９００ｍｍ）及び上下幅Ｗ５２（Ｗ５２＝５７０ｍｍ）の寸法を有している。上段パーツ１１は、厚み方向に対向する表面ＳＦ１１及び裏面ＳＢ１１と、上下方向に対向する上端面ＳＵ１１及び下端面ＳＤ１１と、左右方向に対向する左右２つの側端面ＳＬ１１及びＳＲ１１とに囲まれた薄板状をなしている。
【００１３】
上段パーツ１１の表面ＳＦ１１における上端面ＳＵ１１から幅Ｗ１（Ｗ１＝２００ｍｍ、第１の幅）だけ下端面ＳＤ１１側に離れた位置には罫線ＬＮ１（第１の罫線）が設けられている。罫線ＬＮ１は、側端面ＳＬ１１及びＳＲ１１間を左右方向に一直線状に延伸している。上段パーツ１１の裏面ＳＢ１１における罫線ＬＮ１から幅Ｗ２（Ｗ２＝１００ｍｍ、第２の幅）だけ下端面ＳＤ１１側に離れた位置であって下端面ＳＤ１１から幅Ｗ３（Ｗ３＝２７０ｍｍ、第３の幅）だけ上端面ＳＵ１１側に離れた位置には罫線ＬＮ２（第２の罫線）が設けられている。罫線ＬＮ２は、側端面ＳＬ１１及びＳＲ１１間を一直線上に延伸している。
【００１４】
上段パーツ１１の上端面ＳＵ１１及び罫線ＬＮ１間には表面ＳＦ１１及び裏面ＳＢ１１間を貫くスリットＳＬ１（第１のスリット）及びＳＲ２（第２のスリット）が設けられている。スリットＳＬ１及びＳＲ２は、上下方向に延びる細長の矩形状をなしている。スリットＳＬ１は、側端面ＳＬ１１から幅Ｗ１２（Ｗ１２＝２５０ｍｍ）だけ側端面ＳＲ１１側の位置にある。スリットＳＲ２は、側端面ＳＲ１１から幅Ｗ１２だけ側端面ＳＬ１１側の位置にある。スリットＳＬ１及びＳＲ２間には幅Ｗ１１（Ｗ１１＝４００ｍｍ）の間隔があいている。スリットＳＬ１及びＳＲ２は側端面ＳＬ１１及びＳＲ１１間の真中を通る中心線Ｘから同じ距離Ｗ１１／２だけ離れている。
【００１５】
上段パーツ１１の罫線ＬＮ１及びＬＮ２間には、左右方向に等間隔をあけて並ぶ５組の埋設片１４３−ｍ（ｍ＝１〜５）及び１５３−ｍ（ｍ＝１〜５）がある。埋設片１４３−ｍ（ｍ＝１〜５）における各埋設片１４３−ｍは台形における上底の中央部を下底側に半円上に凹ませたような形状をなしている。各埋設片１４３−ｍは埋設片１５３−ｍの上底における半円状に凹んだ部分と同じ直径を持った真円状をなしている。
【００１６】
埋設片１４３−ｍ及び１５３−ｍは、埋設片１４３−ｍの上底における半円状に凸んだ部分と埋設片１５３−ｍの下半分を突き合わせるようにして上段パーツ１１に埋まっている。埋設片１４３−ｍの上底及び下底は罫線ＬＮ１及びＬＮ２と平行になっている。埋設片１４３−ｍの上底は罫線ＬＮ１の側にあり、埋設片１４３−ｍの下底は罫線ＬＮ２の側にある。埋設片１４３−ｍの下底は上段パーツ１１と繋がっている。埋設片１５３−ｍにおける埋設片１４３−ｍのある側と反対側の端部は上段パーツ１１と繋がっている。埋設片１４３−ｍ（ｍ＝１〜５）及び１５３−ｍ（ｍ＝１〜５）の各々における上段パーツ１１に連結された箇所以外の部分と上段パーツ１１との間には切込線が罫入されている。
【００１７】
上段パーツ１１の罫線ＬＮ２及び下端面ＳＤ１１間には表面ＳＦ１１及び裏面ＳＢ１１間を貫くスリットＳＬ３（第３のスリット）及びＳＲ４（第４のスリット）が設けられている。スリットＳＬ３及びＳＲ４は、スリットＳＬ１及びＳＲ２と同じ寸法を持った細長の矩形状をなしている。スリットＳＬ３は、側端面ＳＬ１１から幅Ｗ１２だけ側端面ＳＲ１１側の位置にある。スリットＳＲ４は、側端面ＳＲ１１から幅Ｗ１２だけ側端面ＳＬ１１側の位置にある。スリットＳＬ３及びＳＲ４間には幅Ｗ１１の間隔があいている。スリットＳＬ３及びＳＲ４は中心線Ｘから同じ距離Ｗ１１／２だけ離れている。
【００１８】
上段パーツ１１の下端面ＳＤ１１には切込ＫＬ１及びＫＲ２が入れられている。切込ＫＬ１及びＫＲ２は、縦長の短冊の下縁をハの字に広げたような形を有している。切込ＫＬ１及びＫＲ２間は、スリットＳＬ１及びＳＲ２間と同じ幅Ｗ１１（Ｗ１１＝４００ｍｍ）の間隔があいている。切込ＫＬ１は、中心線Ｘから距離Ｗ１１／２だけ側端面ＳＬ１１側に離れた位置にある。切込ＫＲ２は、中心線Ｘから距離Ｗ１１／２だけ側端面ＳＲ１１側に離れた位置にある。
【００１９】
図６に示すように、下段パーツ１２は、左右幅Ｗ５１（Ｗ５１＝９００ｍｍ）及び上下幅Ｗ５３（Ｗ５３＝８８０ｍｍ）の寸法を有している。下段パーツ１２は、厚み方向に対向する表面ＳＦ１２及び裏面ＳＢ１２と、上下方向に対向する上端面ＳＵ１２及び下端面ＳＤ１２と、左右方向に対向する左右２つの側端面ＳＬ１２及びＳＲ１２とに囲まれた薄板状をなしている。
【００２０】
下段パーツ１２の下端面ＳＤ１２の中央における上段パーツ１１のスリットＳＬ１及びＳＬ２間の左右幅Ｗ１１よりも僅かに大きな左右幅を持った部分は舌部１７として上端面ＳＵ１２と反対側に幅Ｗ４（Ｗ４＝Ｗ３−Ｗ１＝７０ｍｍ、第４の幅）だけ凸んでいる。
【００２１】
下段パーツ１２の裏面ＳＢ１２における上端面ＳＵ１２から幅Ｗ４（第４の幅）だけ下端面ＳＤ１２側に離れた位置には罫線ＬＮ３（第３の罫線）が設けられている。罫線ＬＮ３は、側端面ＳＬ１２及びＳＲ１２間を左右方向に一直線状に延伸している。下段パーツ１２の裏面ＳＢ１２における罫線ＬＮ３から幅Ｗ２だけ下端面ＳＤ１２側に離れた位置には罫線ＬＮ４（第４の罫線）が設けられている。罫線ＬＮ４は、側端面ＳＬ１２及びＳＲ１２間を左右方向に一直線状に延伸している。下段パーツ１２の表面ＳＦ１２における罫線ＬＮ４から幅Ｗ３だけ下端面ＳＤ１２側の位置には罫線ＬＮ５（第５の罫線）が設けられている。罫線ＬＮ５は、側端面ＳＬ１２及びＳＲ１２間を左右方向に一直線状に延伸している。下段パーツ１２における罫線ＬＮ５上には、菱形状の切れ目ＫＬ３及びＫＲ４が入れられている。切れ目ＫＬ３及びＫＲ４間は、スリットＳＬ１及びＳＲ２間と同じ幅Ｗ１１（Ｗ１１＝４００ｍｍ）の間隔があいている。切れ目ＫＬ３は、側端面ＳＬ１２及びＳＲ１２間の中心線Ｘから距離Ｗ１１／２だけ側端面ＳＬ１２側に離れた位置にある。切れ目ＫＲ４は、中心線Ｘから距離Ｗ１１／２だけ側端面ＳＲ１２側に離れた位置にある。
【００２２】
下段パーツ１２の裏面ＳＢ１２における罫線ＬＮ５から幅Ｗ４だけ下端面ＳＤ１２側に離れた位置には罫線ＬＮ６（第６の罫線）が設けられている。罫線ＬＮ６は、側端面ＳＬ１２及びＳＲ１２間を左右方向に一直線状に延伸している。下段パーツ１２の裏面ＳＢ１２における罫線ＬＮ６から幅Ｗ２だけ下端面ＳＤ１２側の位置には罫線ＬＮ７（第７の罫線）が設けられている。罫線ＬＮ７は、側端面ＳＬ１２及びＳＲ１２間を左右方向に一直線状に延伸している。下段パーツ１２の裏面ＳＢ１２における舌部１７の基端の部分には罫線ＬＮ８（第８の罫線）が設けられている。罫線ＬＮ８は、舌部１７の左右両側の下端面ＳＤ１２を舌部１７側に伸ばした線に沿って左右方向に一直線状に延伸している。
【００２３】
下段パーツ１２の罫線ＬＮ３及びＬＮ４間には、左右方向に等間隔をあけて並ぶ５組の埋設片１４２−ｍ（ｍ＝１〜５）及び１５２−ｍ（ｍ＝１〜５）がある。埋設片１４２−ｍの構造は、埋設片１４３−ｍのそれと同じである。埋設片１５２−ｍの構造は、埋設片１５３−ｍのそれと同じである。下段パーツ１２の罫線ＬＮ６及びＬＮ７間には、左右方向に等間隔をあけて並ぶ５組の埋設片１４１−ｍ（ｍ＝１〜５）及び１５１−ｍ（ｍ＝１〜５）がある。埋設片１４１−ｍの構造は、埋設片１４３−ｍのそれと同じである。埋設片１５１−ｍの構造は、埋設片１５３−ｍのそれと同じである。
【００２４】
下段パーツ１２の舌部１７には表面ＳＦ１２及び裏面ＳＢ１２間を貫くスリットＳＬ５（第５のスリット）及びＳＲ６（第６のスリット）が設けられている。スリットＳＬ５及びＳＲ６は、スリットＳＬ１、ＳＲ２、ＳＬ３、及びＳＲ４よりも短い寸法の細長の矩形状をなしている。スリットＳＬ５及びＳＲ６間には幅Ｗ１１の間隔があいている。スリットＳＬ５及びＳＲ６は中心線Ｘから同じ距離Ｗ１１／２だけ離れている。
【００２５】
図７に示すように、支柱パーツ１３は、左右幅Ｗ５４（Ｗ５４＝１０００ｍｍ）及び上下幅Ｗ５５（Ｗ５５＝９００ｍｍ）の寸法を有している。支柱パーツ１３は、厚み方向に対向する表面ＳＦ１３及び裏面ＳＢ１３と、上下方向に対向する上端面ＳＵ１３及び下端面ＳＤ１３と、左右方向に対向する左右２つの側端面ＳＬ１３及びＳＲ１３とに囲まれた薄板状をなしている。
【００２６】
支柱パーツ１３の左右２つの側端面ＳＬ１３及びＳＲ１３は、階段状に屈曲している。より詳細に説明すると、側端面ＳＬ１３は、下端面ＳＤ１３の左縁（側端面ＳＬ１３と下端面ＳＤ１３の交差位置ＺＬ）から幅Ｗ１だけ上端面ＳＵ１３の側の角部ＡＬ１（第１の角部）において側端面ＳＬ１３及びＳＲ１３間の真中を通る中心線Ｘの側に屈曲している。側端面ＳＬ１３は、角部ＡＬ１から幅Ｗ２だけ中心線Ｘの側の角部ＡＬ２（第２の角部）において上端面ＳＵ１３の側に屈曲している。側端面ＳＬ１３は、角部ＡＬ２から幅Ｗ１だけ上端面ＳＵ１３の側の角部ＡＬ３（第３の角部）において中心線Ｘの側に屈曲している。
【００２７】
側端面ＳＬ１３は、角部ＡＬ３から幅Ｗ２だけ中心線Ｘの側の角部ＡＬ４（第４の角部）において上端面ＳＵ１３の側に屈曲している。側端面ＳＬ１３は、角部ＡＬ４から幅Ｗ１だけ上端面ＳＵ１３の側の角部ＡＬ５（第５の角部）において中心線Ｘの側に屈曲している。側端面ＳＬ１３は、角部ＡＬ５から幅Ｗ２だけ中心線Ｘの側の角部ＡＬ６（第６の角部）において上端面ＳＵ１３の側に屈曲している。側端面ＳＬ１３は、この角部ＡＬ６から幅Ｗ６（Ｗ６＝３００ｍｍ）だけ上の位置において上端面ＳＵ１３と交差している。
【００２８】
側端面ＳＲ１３は、下端面ＳＤ１３の右縁（側端面ＳＲ１３と下端面ＳＤ１３の交差位置ＺＲ）から幅Ｗ１だけ上端面ＳＵ１３の側の角部ＡＲ１（第１の角部）において中心線Ｘの側に屈曲している。側端面ＳＲ１３は、角部ＡＲ１から幅Ｗ２だけ中心線Ｘの側の角部ＡＲ２（第２の角部）において上端面ＳＵ１３の側に屈曲している。側端面ＳＲ１３は、角部ＡＲ２から幅Ｗ１だけ上端面ＳＵ１３の側の角部ＡＲ３（第３の角部）において中心線Ｘの側に屈曲している。
【００２９】
側端面ＳＲ１３は、角部ＡＲ３から幅Ｗ２だけ中心線Ｘの側の角部ＡＲ４（第４の角部）において上端面ＳＵ１３の側に屈曲している。側端面ＳＲ１３は、角部ＡＲ４から幅Ｗ１だけ上端面ＳＵ１３の側の角部ＡＲ５（第５の角部）において中心線Ｘの側に屈曲している。側端面ＳＲ１３は、角部ＡＲ５から幅Ｗ２だけ中心線Ｘの側の角部ＡＲ６（第６の角部）において上端面ＳＵ１３の側に屈曲している。側端面ＳＲ１３は、この角部ＡＲ６から幅Ｗ６だけ上の位置において上端面ＳＵ１３と交差している。
【００３０】
支柱パーツ１３の表面ＳＦ１３における側端面ＳＬ１３の角部ＡＬ６と下端面ＳＤ１３との間には罫線ＬＮ９（第９の罫線）が設けられている。罫線ＬＮ９は上下方向に一直線上に延伸している。支柱パーツ１３の表面ＳＦ１３における側端面ＳＲ１３の角部ＡＲ６と下端面ＳＤ１３との間には罫線ＬＮ１０（第１０の罫線）が設けられている。罫線ＬＮ１０は上下方向に一直線上に延伸している。
【００３１】
支柱パーツ１３の側端面ＳＬ１３における上端面ＳＵ１３と角部ＡＬ６との間には中心線Ｘの側と反対側に凸んだフック部ＨＬ１（第１のフック部）が設けられている。支柱パーツ１３の側端面ＳＲ１３における上端面ＳＵ１３と角部ＡＲ６との間には中心線Ｘの側と反対側に凸んだフック部ＨＲ２（第２のフック部）が設けられている。フック部ＨＬ１、ＨＲ２の上縁は、中心線Ｘから離れるに従って下方向に緩やかに丸まっている。また、フック部ＨＬ１、ＨＲ２の下縁は、下端面ＳＤ１３と平行になっている。支柱パーツ１３の側端面ＳＬ１３における角部ＡＬ５と角部ＡＬ４との間には中心線Ｘの側と反対側に凸んだフック部ＨＬ３（第３のフック部）が設けられている。支柱パーツ１３の側端面ＳＲ１３における角部ＡＲ５と角部ＡＲ４との間には中心線Ｘの側と反対側に向かって凸んだフック部ＨＲ４（第４のフック部）が設けられている。フック部ＨＬ３、ＨＲ４の上縁は、下端面ＳＤ１３と平行になっている。フック部ＨＬ３、ＨＲ４の下縁は中心線Ｘから離れるに従って上方向に緩やかに丸まっている。
【００３２】
支柱パーツ１３の側端面ＳＬ１３における角部ＡＬ４には下端面ＳＤ１３側に凹んだ凹部ＣＬ１（第１の凹部）が設けられている。支柱パーツ１３の側端面ＳＲ１３における角部ＡＲ４には下端面ＳＤ１３側に向かって凹んだ凹部ＣＲ２（第２の凹部）が設けられている。支柱パーツ１３の側端面ＳＬ１３における角部ＡＬ２には下端面ＳＤ１３側に向かって凹んだ凹部ＣＬ３（第３の凹部）が設けられている。支柱パーツ１３の側端面ＳＲ１３における角部ＡＲ２には下端面ＳＤ１３側に向かって凹んだ凹部ＣＲ４（第４の凹部）が設けられている。凹部ＣＬ１、凹部ＣＲ２、凹部ＣＬ３、凹部ＣＲ４は幅Ｗ４（Ｗ４＝７０ｍｍ）の深さを有している。
【００３３】
支柱パーツ１３の下端面ＳＤ１３における側端面ＳＬ１３との交差位置ＺＬよりも中心線Ｘの側に離れた部分は弧状切欠部ＮＬ１（第１の弧状切欠部）として切り欠かれている。弧状切欠部ＮＬ１は、交差位置ＺＬを中心とする円の円弧に沿った丸みを帯びている。支柱パーツ１３の下端面ＳＤ１３における弧状切欠部ＮＬ１の内側（交差位置ＺＬ側）には、弧状切欠部ＮＬ１よりも小さな円弧に沿った丸みを有する弧状突起部ＴＬ１（第１の弧状突起部）が形成されている。弧状突起部ＴＬ１における弧状切欠部ＮＬ１に臨む周縁の上端には交差位置Ｚに向かって凹んだ凹部ＰＬ１（上端第１凹部）が設けられている。
【００３４】
支柱パーツ１３の下端面ＳＤ１３における側端面ＳＲ１３との交差位置ＺＲよりも中心線Ｘの側に離れた部分は弧状切欠部ＮＲ２（第２の弧状切欠部）として切り欠かれている。弧状切欠部ＮＲ２は、交差位置ＺＲを中心とする円の円弧に沿った丸みを帯びている。支柱パーツ１３の下端面ＳＤ１３における弧状切欠部ＮＲ２の内側（交差位置ＺＲ側）には、弧状切欠部ＮＲ２よりも小さな円弧に沿った丸みを有する弧状突起部ＴＲ２（第２の孤状突起部）が形成されている。弧状突起部ＴＲ２における弧状切欠部ＮＲ２に臨む周縁の上端には交差位置Ｚに向かって凹んだ凹部ＰＲ２（上端第２凹部）が設けられている。
【００３５】
以上が、上段パーツ１１、下段パーツ１２、及び支柱パーツ１３の構成である。次に、上段パーツ１１、下段パーツ１２、及び支柱パーツ１３の組立の手順を説明する。まず、支柱パーツ１３を罫線ＬＮ９及びＬＮ１０において表面ＳＦ１３側に９０度ずつ折り曲げ、支柱パーツ１３における罫線ＬＮ９の外側（左側）の部分及び罫線ＬＮ１０の外側（右側）の部分を向い合わせる。
【００３６】
次に、図８に示すように、下段パーツ１２を罫線ＬＮ５において表面ＳＦ１２側に折り曲げ、この折り曲げ部分を支柱パーツ１３の凹部ＣＬ３及びＣＲ４に差し込む。その上で、図９に示すように、下段パーツ１２を罫線ＬＮ６において裏面ＳＢ１２側に折り曲げ、下段パーツ１２の罫線ＬＮ６及びＬＮ７間の部分により支柱パーツ１３の側端面ＳＬ１３の角部ＡＬ２及びＡＬ１間の部分と側端面ＳＲ１３の角部ＡＲ２及びＡＲ１間の部分を覆う。
【００３７】
また、図１０に示すように、下段パーツ１２を罫線ＬＮ７において裏面ＳＢ１２側に折り曲げ、下段パーツ１２の罫線ＬＮ７及び下端面ＳＤ１２間の部分により支柱パーツ１３の側端面ＳＬ１３の角部ＡＬ１及び下端面ＳＤ１３間の部分と側端面ＳＲ１３の角部ＡＲ１及び下端面ＳＤ１３間の部分を覆う。また、下段パーツ１２の舌部１７を罫線ＬＮ８において支柱パーツ１３の下端面ＳＤ１３側に折り曲げ、舌部１７のスリットＳＬ５内に支柱パーツ１３の弧状突起部ＴＬ１を嵌め込み、舌部１７のスリットＳＲ６内に支柱パーツ１３の弧状突起部ＴＲ２を嵌め込む。また、図１１に示すように、下段パーツ１２を罫線ＬＮ４において裏面ＳＢ１２側に折り曲げ、下段パーツ１２の上端面ＳＵ１２を支柱パーツ１３の凹部ＣＬ１及びＣＲ２に差し入れる。
【００３８】
次に、図１２に示すように、上段パーツ１１の下端面ＳＤ１１を支柱パーツ１３の凹部ＣＬ１及び凹部ＣＲ２に差し入れるとともに、上段パーツ１１のスリットＳＬ３及びＳＲ４内に支柱パーツ１３のフック部ＨＬ３及びＨＲ４を嵌め込む。この作業では、上段パーツ１１を水平にして支柱パーツ１３の角部ＡＬ３及びＡＲ３の上に乗せ、そのまま上段パーツ１１を支柱パーツ１３の側端面ＳＬ１３及びＳＲ１３の側に押し、上段パーツ１１の切込ＫＬ３及びＫＲ４内に支柱パーツ１３の側端面ＳＬ１３及びＳＲ１３を嵌め込み、その嵌合部位を支点として上段パーツ１１を垂直方向に起こすようにする。これにより、スリットＳＬ３及びＳＲ４内にフック部ＨＬ３及びＨＲ４を簡単に嵌めることができる。
【００３９】
次に、図１３に示すように、上段パーツ１１を罫線ＬＮ２において裏面ＳＢ１１側に折り曲げるとともに罫線ＬＮ１において表面ＳＦ１１側に折り曲げ、上段パーツ１１の罫線ＬＮ１及びＬＮ２間の部分により支柱パーツ１３の側端面ＳＬ１１における角部ＡＬ６及びＡＬ５間の部分と側端面ＳＲ１１における角部ＡＲ６及びＡＲ５間の部分を覆う。また、上段パーツ１１のスリットＳＬ１及びＳＲ２内に支柱パーツ１３のフック部ＨＬ１及びＨＲ２を嵌め込む。
【００４０】
以上の行程より、３段のひな壇１００’（３）（図２）が完成する。この３段のひな壇１００’（３）では、下段パーツ１２の表面ＳＦ１２における罫線ＬＮ６及びＬＮ７間の部分、下段パーツ１２の表面ＳＦ１２における罫線ＬＮ３及びＬＮ４間の部分、並びに上段パーツ１１の表面ＳＦ１１における罫線ＬＮ１及びＬＮ２間の部分がパネル載置面２０−１、２０−２、及び２０−３を形成する。
【００４１】
また、２段のひな壇１００’（２）（図３）にしたい場合は、上段パーツ１１のスリットＳＬ３及びＳＲ４内に支柱パーツ１３のフック部ＨＬ３及びＨＲ４を嵌め込んだ後、上段パーツ１１を折り曲げずに真っ直ぐの状態のままにする。この２段のひな壇１００’（２）では、下段パーツ１２の表面ＳＦ１２における罫線ＬＮ６及びＬＮ７の間の部分、並びに下段パーツ１２の表面ＳＦ１２における罫線ＬＮ３及びＬＮ４間の部分がパネル載置面２０−１及び２０−２を形成する。
【００４２】
また、ひな壇１００’（３）または１００’（２）におけるパネル載置面２０−１、２０−２、２０−３にパネルＰＮＬを載せる際は、図１４に示すように、パネルを立て掛ける箇所の埋設片１４−ｍ及び１５−ｍ（図１４の例では、埋設片１４１−５及び１５１−５）を起立させる。その上で、各パネルＰＮＬをその下端を埋設片１４−ｍに係止するようにしてパネル載置面２０−１（または、２０−２、２０−３）上に立て掛ける。
【００４３】
以上が、本実施形態の構成の詳細である。本実施形態によると、次の効果が得られる。
第１に、本実施形態では、ひな壇セット１００は、上段パーツ１１、下段パーツ１２、及び支柱パーツ１３の３つのパーツからなる。そして、上段パーツ１１、下段パーツ１２、支柱パーツ１３には、各々を折り曲げるための罫線ＬＮ１、ＬＮ２、ＬＮ３、ＬＮ４、ＬＮ５、ＬＮ６、ＬＮ７、ＬＮ８、ＬＮ９、ＬＮ１０、他のパーツと連結するためのフック部ＨＬ１、ＨＲ２、ＨＬ３、ＨＲ４、スリットＳＬ１、ＳＲ２、ＳＬ３、ＳＲ４、ＳＬ５、ＳＲ６、凹部ＣＬ１、ＣＲ２、ＣＬ３、ＣＲ４、弧状突起部ＴＬ１、ＴＲ２が設けられている。よって、本実施形態によると、ひな壇１００’（３）または１００’（２）への組み立て方法を直感的に理解して組み立てを手際よく行い、ひな壇１００’（３）または１００’（２）のパネル載置面２０−１、２０−２、２０−３にパネルＰＮＬを見栄えよく陳列することができる。
【００４４】
第２に、本実施形態では、上段パーツ１１を罫線ＬＮ２において２つ折りにしたものと、下段パーツ１２を罫線ＬＮ５において２つ折りにしたものと、支柱パーツ１３を罫線ＬＮ９及び罫線ＬＮ１０において表面ＳＦ１３側に折り重ねたものの上下幅と左右幅は略同じ（９００ｍｍ×５７０）になる。このため、図１５に示すように、折り畳んだ３つのパーツ１１、１２、１３を重ねてビニールＶＮで括るとコンパクトになる。よって、ビニール紐ＶＮで括った３つのパーツ１１、１２、１３と略同じサイズのヤッコ型段ボール９３（たとえば、９００ｍｍ×６００ｍｍのヤッコ型段ボール）に３つのパーツ１１、１２、１３を収め、その上に、各種サイズ（Ａ３サイズ、Ａ４サイズ、Ａ５サイズ）のパネルＰＮＬ、商品目録ＬＳＴ、商品申込用葉書ＣＲＤを含む付属品９１を収め、その上にクッション材９２を収めることにより、賞品付きゲームに必要なグッズ一式をコンパクトに梱包することができる。従って、本実施形態によると、賞品付きゲームに必要なグッズ一式を梱包した宅配便ＰＣＫを低コストで顧客に送ることができる。
【００４５】
第３に、本実施形態では、上段パーツ１１の罫線ＬＮ１及びＬＮ２間には、等間隔をあけて並ぶ５個の埋設片１４３−ｍ（ｍ＝１〜５）及び１５３−ｍ（ｍ＝１〜５）が設けられており、下段パーツ１２の罫線ＬＮ３及びＬＮ４間には、等間隔をあけて並ぶ５個の埋設片１４２−ｍ（ｍ＝１〜５）及び１５２−ｍ（ｍ＝１〜５）が設けられており、下段パーツ１２の罫線ＬＮ６及びＬＮ７間には、等間隔をあけて並ぶ５個の埋設片１４１−ｍ（ｍ＝１〜５）及び１５１−ｍ（ｍ＝１〜５）が設けられている。そして、上段パーツ１１、下段パーツ１２、及び支柱パーツ１３の組立の際は、埋設片１４−ｍ及び１５−ｍを起立させ、起立させた埋設片１４−ｍにパネルＰＮＬの下端部を係止するようにしてパネルＰＮＬをパネル載置面２０−１、２０−２、２０−３に立て掛けるように構成されている。よって、本実施形態によると、賞品付きゲームの最中に誰かがパネル載置面２０−１、２０−２、２０−３上のパネルＰＮＬに触れた場合にパネルＰＮＬがパネル載置面２０−１、２０−２、２０−３から落ちてしまう、という事態が発生し難くなる。
【００４６】
第４に、本実施形態では、弧状突起部ＴＬ１における弧状切欠部ＮＬ１に臨む周縁の上端には、支柱パーツ１３の側端面ＳＬ１３１と下端面ＳＤ１３の交差位置ＺＬに向かった凹んだ凹部ＰＲ１が設けられており、弧状突起部ＴＲ２における弧状切欠部ＮＲ２に臨む周縁の上端には、支柱パーツ１３の側端面ＳＲ１３と下端面ＳＤ１３の交差位置ＺＲに向かった凹んだ凹部ＰＲ２が設けられている。このため、本実施形態では、下段パーツ１２の舌部１７を罫線ＬＮ８において折り曲げてスリットＳＬ５及びＳＲ６内に弧状突起部ＴＬ１及びＴＲ２を嵌め込むときに舌部１７を弧状切欠部ＮＬ１及びＮＲ２の奥まで押し込むと、下段パーツ１２における罫線ＬＮ７の折り曲げ方向と反対方向への復元力によって舌部１７が前方に僅かに動き、舌部１７のスリットＳＬ５及びＳＲ６の交差位置ＺＬ及びＺＲ側の端部が凹部ＰＬ１及びＰＲ２に嵌まる。この嵌合以降は、舌部１７が下側に回動して弧状突起部ＴＬ１及びＴＲ２から外れてしまう、ということが起こり難くなる。従って、本実施形態によると、賞品付きゲームの最中にひな壇１００’（３）または１００’（２）の下から舌部１７が露出して見栄えが悪くなる、という事態の発生を防止することができる。
【００４７】
第５に、本実施形態では、下段パーツ１２の罫線ＬＮ５上における中心線Ｘから距離Ｗ１１／２だけ側端面ＳＬ１２側及び側端面ＳＲ１２側に離れた各位置に切れ目ＫＬ３及びＫＲ４が入れられている。よって、ひな壇１００’（３）または１００’（２）の組み立てを行う者は、下段パーツ１２を罫線ＮＬ５において折り曲げて支柱パーツ１３の凹部ＣＬ３及びＣＲ４へ差し込む際に切れ目ＫＬ３及びＫＲ４を凹部ＣＬ３及びＣＲ４に合わせるようにすることにより、下段パーツ１２の左右方向の位置合わせを簡単に行うことができる。
【００４８】
第６に、本実施形態では、上段パーツ１１の下端面ＳＤ１１における中心線Ｘから距離Ｗ１１／２だけ側端面ＳＬ１１側及び側端面ＳＲ１１側に離れた各位置に切込ＫＬ１及びＫＲ２が入れられている。よって、ひな壇１００’（３）または１００’（２）の組み立てを行う者は、上段パーツ１１を水平にして支柱パーツ１３の角部ＡＬ３及びＡＲ３の上に乗せ、そのまま上段パーツ１１を支柱パーツ１３の側端面ＳＬ１３及びＳＲ１３の側に押し、上段パーツ１１の切込ＫＬ１及びＫＲ２内に支柱パーツ１３の側端面ＳＬ１３及びＳＲ１３を嵌め込み、その嵌合部位を支点として上段パーツ１１を垂直方向に起こす、という操作を行うことにより、上段パーツ１１のスリットＳＬ１及びＳＲ２内へのフック部ＨＬ３及びＨＲ４の嵌め込みをより簡単に行うことができる。
【００４９】
第７に、本実施形態では、支柱パーツ１３のフック部ＨＬ３、ＨＲ４の上縁は、下端面ＳＤ１３と平行になっており、支柱パーツ１３の床上に立てたときにフック部ＨＬ３、ＨＲ４の上縁は水平になる。このため、上段パーツ１１のスリットＳＬ１及びＳＲ２内に支柱パーツ１３のフック部ＨＬ３及びＨＲ４を嵌め込んだ後に、上段パーツ１１のスリットＳＬ１及びＳＲ２がフック部ＨＬ３及びＨＲ４から外れて上段パーツ１１が支柱パーツ１３の凹部ＣＬ１及びＣＲ２に落ちてしまう、という事態が発生し難くなる。よって、以降の操作である上段パーツ１１の罫線ＬＮ２における折り曲げやスリットＳＬ１及びＳＲ２内へのフック部ＨＬ１及びＨＲ２の嵌め込みが行い易くなる。
【００５０】
以上、本発明の一実施形態について説明したが、かかる実施形態に以下の変形を加えて
よい。
（１）上記実施形態では、左右方向における埋設片１４−ｍ（ｍ＝１〜５）及び１５−ｍ（ｍ＝１〜５）の数は５つであった。しかし、この埋設片１４−ｍ（ｍ＝１〜５）及び１５−ｍ（ｍ＝１〜５）の個数を１〜４個にしてもよいし、６個以上にしてもよい。また、隣り合う埋設片１４−ｍ（ｍ＝１〜５）及び１５−ｍ（ｍ＝１〜５）の間隔は等間隔である必要はない。
（２）上記実施形態における寸法値はあくまで一例にすぎず、これと異なる寸法値を採用してもよい。
【符号の説明】
【００５１】
１００…ひな壇セット、１１…上段パーツ、１２…下段パーツ、１３…支柱パーツ、１７…舌部、９１…付属品、９２…クッション材、９３…ヤッコ型段ボール。
【図１】
2015013048.tif 000003
【図２】
2015013048.tif 000004
【図３】
2015013048.tif 000005
【図４】
2015013048.tif 000006
【図５】
2015013048.tif 000007
【図６】
2015013048.tif 000008
【図７】
2015013048.tif 000009
【図８】
2015013048.tif 000010
【図９】
2015013048.tif 000011
【図１０】
2015013048.tif 000012
【図１１】
2015013048.tif 000013
【図１２】
2015013048.tif 000014
【図１３】
2015013048.tif 000015
【図１４】
2015013048.tif 000016
【図１５】
2015013048.tif 000017
【図１６】
2015013048.tif 000018